(57)【特許請求の範囲】
【請求項１】
着用時に着用者の腹側に配される腹側部、着用時に着用者の背側に配される背側部を有する外装体と、該外装体の内側に固定された吸収体を有する長方形状の吸収性本体とを具備し、前記腹側部及び前記背側部それぞれの両側縁部が接合されて、一対のサイドシール部、ウエスト開口部及び一対のレッグ開口部が形成されたパンツ型吸収性物品であって、
前記腹側部及び前記背側部それぞれには、前記ウエスト開口部の周方向に伸長した状態で配された弾性部材が、前記パンツ型着用物品の縦方向に、複数本間欠的に配されており、
前記腹側部及び前記背側部の少なくとも一方は、前記ウエスト開口部の周縁に沿う周端部が複数本の前記弾性部材の内の一部の該弾性部材を含んだ状態で外側に折り返されて形成された折り返し部を有しており、
前記折り返し部は、その両側縁部が、一対の前記サイドシール部にて固定され、
一対の前記サイドシール部では、前記折り返し部の両側縁部、並びに、前記腹側部の両側縁部及び前記背側部の両側縁部が接合されており、
前記折り返し部は、前記ウエスト開口部の周縁と前記吸収体の縦方向端部との間に形成されており、
前記折り返し部の先端が前記吸収体にかかっていないパンツ型着用物品。
【請求項２】
前記折り返し部に配された前記弾性部材は、その伸長応力が、該折り返し部以外の前記腹側部又は前記背側部に配された前記弾性部材の伸長応力よりも低い請求項１に記載のパンツ型吸収性物品。
【請求項３】
前記腹側部及び前記背側部は、それぞれ前記折り返し部を有しており、
前記腹側部の前記折り返し部に配された前記弾性部材は、その伸長応力が、前記背側部の前記折り返し部に配された前記弾性部材の伸長応力よりも低い請求項１又は２に記載のパンツ型吸収性物品。
【請求項４】
前記腹側部及び前記背側部は、それぞれ前記折り返し部を有しており、
前記腹側部の前記折り返し部の折り返し幅が、前記背側部の前記折り返し部の折り返し幅よりも長い請求項１〜３の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、ウエスト開口部及び一対のレッグ開口部が形成されたパンツ型の使い捨ておむつが知られている。このようなパンツ型吸収性物品であるパンツ型使い捨ておむつは、使用者自身が履いて使用したり、使用者の養護者や介護者が使用者に履かせて使用したりするものである。
【０００３】
例えば、特許文献１には、装脱着が容易な観点から、おむつ装着後、吸収性本体の具備する長手方向外側へ延出して配設された一対の伸縮体を、吸収性本体の上に折り返して使用される使い捨ておむつが記載されている。また、特許文献２には、使用後に衛生的に好ましい状態で廃棄等する観点から、前後胴周り域いずれかの外面に胴周り開口の縁部から股下域に向かって延びるラッピング用シートを設け、該ラッピング用シートとおむつ外面との間に上方から下方に向かって開口するポケットが形成されているパンツ型の使い捨ておむつが記載されている。
【先行技術文献】
【特許文献】
【０００４】
【特許文献１】特開平１０−５２４５６号公報
【特許文献２】特開２００４−２２３０１１号公報
【発明の概要】
【発明が解決しようとする課題】
【０００５】
しかし、特許文献１に記載の使い捨ておむつは、使用前においては、伸縮体が折り返された状態ではなく長手方向外側へ延出した状態であり、この伸縮体を掴むには着用者の肌とおむつの開口部との間に手を入れなければならず、掴むことが難しい。また、使用時に、伸縮体が吸収性本体の上に折り返されていても、固定されていないので、折り返された状態が解除される場合があり、やはり掴むことが難しい。
【０００６】
また、特許文献２には、おむつの履かせ易さについて何ら記載されていない。また、特許文献２に記載の使い捨ておむつの備えるラッピング用シートには、弾性部材が配されていないので、ラッピング用シートの自由端部を固定状態に維持することが難しく、やはり掴むことが難しい。
【０００７】
したがって、本発明の課題は、おむつ使用時に、使用者自身、使用者の養護者や介護者がおむつの胴回り開口部を掴み易く、使用感が向上するパンツ型吸収性物品を提供することにある。
【課題を解決するための手段】
【０００８】
本発明は、着用時に着用者の腹側に配される腹側部、着用時に着用者の背側に配される背側部を有する外装体と、該外装体の内側に固定された吸収体を有する長方形状の吸収性本体とを具備し、前記腹側部及び前記背側部それぞれの両側縁部が接合されて、一対のサイドシール部、ウエスト開口部及び一対のレッグ開口部が形成されたパンツ型吸収性物品であって、前記腹側部及び前記背側部それぞれには、前記ウエスト開口部の周方向に伸長した状態で配された弾性部材が、前記パンツ型着用物品の縦方向に、複数本間欠的に配されており、前記腹側部及び前記背側部の少なくとも一方は、前記ウエスト開口部の周縁に沿う周端部が複数本の前記弾性部材の内の一部の該弾性部材を含んだ状態で外側に折り返されて形成された折り返し部を有しており、前記折り返し部は、その両側縁部が、一対の前記サイドシール部にて固定されているパンツ型着用物品を提供するものである。
【発明の効果】
【０００９】
本発明のパンツ型吸収性物品によれば、おむつの胴回り開口部を掴み易く、使用感が向上する。
【図面の簡単な説明】
【００１０】
【図１】図１は、本発明の第１実施形態であるパンツ型使い捨ておむつの斜視図である。
【図２】図２は、図１に示すパンツ型使い捨ておむつを伸長させて拡げた状態を表面シート側から見た平面図である。
【図３】図３は、図１のＩ−Ｉ線断面図である。
【図４】図４は、本発明の第２実施形態であるパンツ型使い捨ておむつの厚み方向の断面図である（図３相当図）。
【図５】図５は、本発明の第３実施形態であるパンツ型使い捨ておむつの厚み方向の断面図である（図３相当図）。
【図６】図６は、本発明の第４実施形態であるパンツ型使い捨ておむつの厚み方向の断面図である（図３相当図）。
【発明を実施するための形態】
【００１１】
以下、本発明のパンツ型吸収性物品を、その好ましい第１実施形態に基づき、図１〜図３を参照しながら説明する。
【００１２】
第１実施形態のパンツ型使い捨ておむつ１Ａ（以下、「おむつ１Ａ」ともいう。）は、図１に示すように、着用時に着用者の腹側に配される腹側部Ａ、着用時に着用者の背側に配される背側部Ｂを有する外装体２と、外装体２の内側に固定された吸収体３３を有する長方形状の吸収性本体３とを具備し、腹側部Ａの両側縁部２ａ，２ａと背側部Ｂの両側縁部２ｂ，２ｂとが接合されて、一対のサイドシール部５，５、ウエスト開口部ＷＯ及び一対のレッグ開口部ＬＯ，ＬＯが形成されている。
おむつ１Ａは、図１〜図２に示すように、中心線ＣＬに対して左右対称に形成されている。
【００１３】
第１実施形態のおむつ１Ａについて、詳述すると、おむつ１Ａの備える外装体２は、図１に示すように、おむつ１Ａの外観を構成しており、図２に示すように、伸長状態において、その縦方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの横方向は、中心線ＣＬに直交する方向（以下「Ｘ方向」という。）である。また、おむつ１Ａの厚み方向をＺ方向として示している。
【００１４】
外装体２は、図２に示すように、縦方向（Ｙ方向）中央部において内方に括れている。おむつ１Ａにおいては、外装体２の腹側部Ａ側の両側縁部２ａ，２ａの内面と外装体２の背側部Ｂ側の両側縁部２ｂ，２ｂの内面同士を互いに重ね合わせ、合掌状に固定することにより、一対のサイドシール部５，５が形成されるとともに、図１に示す、ウエスト開口部ＷＯ及び一対のレッグ開口部ＬＯ，ＬＯが形成される。
【００１５】
外装体２の内側には、図１，図２に示すように、吸収性本体３が固定されている。吸収性本体３は、図２に示すように、実質的に縦長の長方形状であり、液透過性の表面シート３１、液不透過性（撥水性も含む）の裏面シート３２、両シート３１，３２間に介在する吸収体３３を備えている。おむつ１Ａにおいては、吸収体３３は、縦方向（Ｙ方向）中央部分が内方に括れた砂時計状である。吸収性本体３の縦方向（Ｙ方向）に沿う両側部には、図２に示すように、液不透過性又は撥水性で且つ通気性の素材から構成された側方カフス３４，３４が設けられている。各側方カフス３４の自由端部近傍には、立体ギャザー形成用弾性部材（不図示）が縦方向（Ｙ方向）に伸長した状態で配されている。おむつの着用時には、立体ギャザー形成用弾性部材（不図示）の収縮により側方カフス３４の自由端部側が起立し、所謂立体ギャザーとなり、横方向（Ｘ方向）への体液の流出が阻止される。
【００１６】
本発明のパンツ型着用物品において、腹側部Ａ及び背側部Ｂそれぞれには、ウエスト開口部ＷＯの周方向に伸長した状態で配された弾性部材２３（２３１，２３３）が、パンツ型着用物品の縦方向（Ｙ方向）に、複数本間欠的に配されている。おむつ１Ａについて説明すると、おむつ１Ａの外装体２は、図２に示すように、吸収性本体３が直接固定される内層シート２１と、内層シート２１の外面側に配されている外層シート２２と、内層シート２１及び外層シート２２の間に配され且つウエスト開口部ＷＯの周方向に伸長した状態で配された弾性部材２３と、内層シート２１及び外層シート２２の間に配され且つ外装体２の括れに沿って伸長した状態で配されたレッグ弾性部材２４とを有している。レッグ弾性部材４３が配されていることにより、おむつ１Ａの外装体２には、環状の一対のレッグ弾性領域（レッグギャザー）が形成されている。尚、ウエスト開口部ＷＯの周方向とは、図２に示すように、おむつ１Ａを展開して伸長した状態においては、横方向（Ｘ方向）と同じ方向である。
【００１７】
本発明のパンツ型着用物品において、腹側部Ａ及び背側部Ｂの少なくとも一方は、ウエスト開口部ＷＯの周縁に沿う周端部が複数本の弾性部材２３の内の一部の弾性部材２３３を含んだ状態で外側に折り返されて形成された折り返し部４（４ａ，４ｂ）を有している。おむつ１Ａについて説明すると、おむつ１Ａの外装体２は、図３に示すように、腹側部Ａにおけるウエスト開口部ＷＯの周縁に沿う周端部が一部の弾性部材２３３を含んだ状態で外側に折り返されて形成された折り返し部４ａを有し、背側部Ｂにおけるウエスト開口部ＷＯの周縁に沿う周端部も一部の弾性部材２３３を含んだ状態で外側に折り返されて形成された折り返し部４ｂを有している。おむつ１Ａにおいては、図３に示すように、腹側部Ａの折り返し部４ａの折り返し幅（Ｗ１）と、背側部Ｂの折り返し部４ｂの折り返し幅（Ｗ２）とが同じである。ここで、折り返し幅とは、折り返し部４ａ，４ｂの縦方向（Ｙ方向）の長さを意味する。
【００１８】
折り返し部４ａ，４ｂは、図１に示すように、その両側縁部４ａ１，４ｂ１が、一対のサイドシール部５にて固定されている。具体的には、おむつ１Ａにおいては、腹側部Ａ及び背側部Ｂそれぞれのウエスト開口部ＷＯの周端部が折り返された状態で、腹側部Ａの両側縁部２ａ，２ａ及び背側部Ｂの両側縁部２ｂ，２ｂが同時に接合されて、一対のサイドシール部５，５が形成されている。そのため、おむつ１Ａにおいては、図１に示すように、腹側部Ａの折り返し部４ａの縦方向（Ｙ方向）に沿う側縁部４ａ１がサイドシール部５にて固定されており、背側部Ｂの折り返し部４ｂの縦方向（Ｙ方向）に沿う側縁部４ｂ１がサイドシール部５にて固定されている。尚、おむつ１Ａにおいては、上述したように、折り返された状態で同時に接合されて一対のサイドシール部５，５が形成されているが、腹側部Ａの両側縁部２ａ，２ａ及び背側部Ｂの両側縁部２ｂ，２ｂの接合により一対のサイドシール部５，５を形成した後、腹側部Ａ及び背側部Ｂの折り返し部４ａ，４ｂの側縁部４ａ１，４ｂ１を、更にサイドシール部５にて別に固定してもよい。
【００１９】
おむつ１Ａについて更に説明すると、腹側部Ａ及び背側部Ｂにおいては、図３に示すように、おむつ１Ａの外装体２を構成する内層シート２１は、ウエスト開口部ＷＯの開口の周縁ｄ１に沿ってウエスト開口部ＷＯから外側に二つ折りされて折り返し部４ａ，４ｂの先端まで延びている。また、腹側部Ａ及び背側部Ｂにおいては、図３に示すように、おむつ１Ａの外装体２を構成する外層シート２２は、ウエスト開口部ＷＯの開口の周縁ｄ１に沿ってウエスト開口部ＷＯから外側に、即ち、外層シート２２同士が対向するように、二つ折りされて折り返し部４ａ，４ｂの先端まで延びており、更に、縦方向（Ｙ方向）に延出する長さを有している。外層シート２２における折り返し部４ａ，４ｂの先端よりも延出した延出領域は、折り返し部４ａ，４ｂの先端にて、内層シート２１の先端を包むように折り返され、更にウエスト開口部ＷＯの開口の周縁ｄ１よりも延出し、周縁ｄ１にてウエスト開口部ＷＯの内側に折り返され、吸収性本体３の吸収体３３の縦方向（Ｙ方向）の端部３３ｄ１を覆う位置まで延出し、接着剤（図示せず）を介して接着されている。
【００２０】
折り返し部４ａ，４ｂは、おむつ１Ａにおいては、図３に示すように、ウエスト開口部の周縁ｄ１と吸収体３３の縦方向（Ｙ方向）端部３３ｄ１との間に形成されている。
おむつ１Ａの縦方向（Ｙ方向）の全長に対する折り返し部４ａ，４ｂの折り返し幅（Ｗ１，Ｗ２）の割合（Ｗ１又はＷ２／全長）は、折り返し部分を摘み易くする観点から、１０％〜３０％であることが好ましく、１５％〜２０％であることが更に好ましい。
【００２１】
腹側部Ａ及び背側部Ｂそれぞれに配された弾性部材２３について詳述すると、弾性部材２３は、折り返し部４ａ，４ｂ以外の腹側部Ａ又は背側部Ｂに配された弾性部材、即ち、吸収性本体３より縦方向（Ｙ方向）外方に間欠的に配された複数本のウエスト弾性部材２３１と、ウエスト弾性部材２３１より縦方向（Ｙ方向）の下方に間欠的に配された複数本の胴回り弾性部材２３２と、折り返し部４ａ，４ｂに配された弾性部材２３３とを有している。外装体２を構成する内層シート２１及び外層シート２２の間に、ウエスト弾性部材２３１及び胴回り弾性部材２３２が配されていることにより、おむつ１Ａの外装体２には、ウエスト弾性領域（ウエストギャザー）及び胴回り弾性領域（胴回りギャザー）が形成される。尚、胴回り弾性部材２３２は、図１，図２に示すように、吸収性本体３と重なる位置においては細かく分断されており、もはや収縮力を発現しない状態となっていることが好ましい。
【００２２】
折り返し部４ａ，４ｂに配された弾性部材２３３は、その伸長応力が、折り返し部４ａ，４ｂに指が入り易く、おむつ１を引き上げ易い観点、また、お腹を締め付け過ぎない観点から、折り返し部４ａ，４ｂ以外の腹側部Ａ又は背側部Ｂに配された弾性部材（ウエスト弾性部材２３１，胴回り弾性部材２３２）の伸長応力よりも低いことが好ましい。
折り返し部４ａ，４ｂに配された複数本の弾性部材２３３においては、折り返し部４ａ，４ｂを掴み易くする観点から、折り返し部４ａ，４ｂの先端に配された弾性部材２３３ａ，２３３ｂ（図３参照）の伸長応力が、他の弾性部材２３３よりも伸長応力が高いことが好ましい。
伸長応力の高低をつける方法としては、弾性部材の材質、太さ、間隔を調整することにより行う。
【００２３】
腹側部Ａの折り返し部４ａに配された弾性部材２３３は、その伸長応力が、折り返し部４ａに指が入り易く、おむつ１を引き上げ易い観点、また、お腹を腹側部Ａにより締め付け過ぎない観点から、背側部Ｂの折り返し部４ｂに配された弾性部材２３３の伸長応力よりも低いことが更に好ましい。
【００２４】
ウエスト弾性部材２３１、胴廻り弾性部材２３２、折り返し部４ａ，４ｂに配された弾性部材２３３、レッグ弾性部材２４としては、通常、使い捨ておむつ等の吸収性物品に用いられるものであれば、特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２５】
複数本のウエスト弾性部材２３１、複数本胴廻り弾性部材２３２は、具体的には、おむつ１Ａにおいては、材料を統一し、太さを同じにし、伸長時の伸長応力も同じにしている。詳述すると、伸長率１００％に伸長した時の平均応力が２０ｇｆ（１５〜３０ｇｆの範囲の応力であることが好ましい）の弾性部材２３（ウエスト弾性部材２３１及び胴廻り弾性部材２３２）を、同じ平均伸長率２５０％（１５０〜３００％の範囲とするのが好ましい）で伸長させた状態で外層シート２１及び内層シート２２の間に配している。尚、伸長率は、自然長に対する、伸長されて増加した分の長さの割合であり、例えば、長さ１０ｃｍのものを２０ｃｍに伸長するとその伸長率は１００％とされる。
【００２６】
腹側部Ａの折り返し部４ａに配された複数本の弾性部材２３３について具体的に述べると、伸長率１００％に伸長した時の平均応力が２０ｇｆ（１５〜３０ｇｆの範囲の応力であることが好ましい）の弾性部材２３３を、同じ平均伸長率２００％（１００〜２００％の範囲とするのが好ましい）で伸長させた状態で折り返し部４ａにおける外層シート２１及び内層シート２２の間に配している。
背側部Ｂの折り返し部４ｂに配された複数本の弾性部材２３３について具体的に述べると、伸長率１００％に伸長した時の平均応力が２０ｇｆ（１５〜３０ｇｆの範囲の応力であることが好ましい）の弾性部材２３３を、同じ平均伸長率２００％（１００〜２００％の範囲とするのが好ましい）で伸長させた状態で折り返し部４ｂにおける外層シート２１及び内層シート２２の間に配している。
腹側部Ａ及び背側部Ｂの折り返し部４ａ，４ｂの先端に配された弾性部材２３３ａ，２３３ｂについて具体的に述べると、伸長率１００％に伸長した時の応力が２０ｇｆ（１５〜３０ｇｆの範囲の応力であることが好ましい）の弾性部材２３３ａ，２３３ｂを、伸長率２５０％（２００〜３００％の範囲とするのが好ましい）で伸長させた状態で折り返し部４ｂにおける外層シート２１及び内層シート２２の間に配している。
【００２７】
縦方向（Ｙ方向）に隣り合う弾性部材２３同士の間隔に関しては、ウエスト弾性領域の応力が高くならないための観点から、腹側部Ａの折り返し部４ａの弾性部材２３３同士の間隔又は背側部Ｂの折り返し部４ｂの弾性部材２３３同士の間隔の方が、ウエスト弾性部材２３１同士の間隔又は胴廻り弾性部材２３２同士の間隔よりも広いことが好ましい。また、腹側部分を締め付けない観点から、腹側部Ａの折り返し部４ａの弾性部材２３３同士の間隔の方が、背側部Ｂの折り返し部４ｂの弾性部材２３３同士の間隔よりも広いことが更に好ましい。
縦方向（Ｙ方向）に隣り合うウエスト弾性部材２３１同士の間隔は、３〜１５ｍｍであることが好ましく、４〜８ｍｍであることが更に好ましい。
縦方向（Ｙ方向）に隣り合う胴廻り弾性部材２３２同士の間隔は、２〜１０ｍｍであることが好ましく、３〜６ｍｍであることが更に好ましい。
腹側部Ａの折り返し部４ａにおける縦方向（Ｙ方向）に隣り合う弾性部材２３３同士の間隔は、３〜１５ｍｍであることが好ましく、５〜１０ｍｍであることが更に好ましい。
背側部Ｂの折り返し部４ｂにおける縦方向（Ｙ方向）に隣り合う弾性部材２３３同士の間隔は、３〜１５ｍｍであることが好ましく、４〜８ｍｍであることが更に好ましい。
【００２８】
おむつ１Ａにおいては、ホットメルト等の接着剤によって、外装体２の外層シート２２と内層シート２１との間で、弾性部材２３（ウエスト弾性部材２３１、胴回り弾性部材２３２及び折り返し部４ａ，４ｂに配された弾性部材２３３）及びレッグ弾性部材２４が固定されている。接着剤の塗布形状は、弾性部材２３及びレッグ弾性部材２４を固定できれば、特に制限されず、例えば、サイドシール部５に沿って非連続な直線状に形成されていてもよく、連続する一直線状に形成されていてもよい。特に、折り返し部４ａ，４ｂに配された弾性部材２３３は、一対のサイドシール部５，５に対応する位置にのみ接着剤が塗布されて固定されており、一対のサイドシール部５，５同士の間においては、接着剤によって固定されていなくてもよい。
【００２９】
第１実施形態のパンツ型使い捨ておむつ１Ａの形成材料について説明する。
外装体２を構成する外層シート２２と内層シート２１としては、通常、使い捨ておむつ等の吸収性物品に用いられるものであれば、特に制限なく用いることができる。例えば、外層シート２２及び内層シート２１としては、撥水性の不織布等を用いることができる。
【００３０】
吸収性本体３を構成する表面シート３１、裏面シート３２、吸収体３３及び側方カフス３４を形成するシートとしては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コアをティッシュペーパによって被覆されているものを用いることができる。側方カフス３４を形成するシートとしては、伸縮性のフィルム、不織布、織物またはそれらの積層シート等を用いることができる。
【００３１】
サイドシール部５の接合には、通常、使い捨ておむつ等の吸収性物品に用いられる接着剤や、ヒートエンボス、超音波エンボス、高周波エンボス等の融着手段が用いられる。吸収性本体３と外装体２の内層シート２１との固定や、表面シート３１、裏面シート３２、側方カフス３４の固定も同様に、通常、使い捨ておむつ等の吸収性物品に用いられる接着剤やヒートエンボス、超音波エンボス、高周波エンボス等の融着手段が用いられる。
【００３２】
上述した本発明の第１施形態のパンツ型使い捨ておむつ１Ａを使用した際の作用効果について説明する。
第１実施形態のおむつ１Ａは、図１，図３に示すように、腹側部Ａ及び背側部Ｂそれぞれにおいて、弾性部材２３の内の一部の弾性部材２３３を含んだ状態で外側に折り返されて形成された折り返し部４ａ，４ｂを有しており、折り返し部４ａ，４ｂの両側縁部４ａ１，４ｂ１が一対のサイドシール部５にて固定されている。その為、おむつ使用時、特におむつを履く際に着用者（使用者）自身が腹側部Ａの折り返し部４ａを掴み易く、折り返し部４ａを掴んでおむつを履き易いので使用感が向上する。また、おむつ使用時、特におむつを履かせる際に着用者（使用者）の養護者や介護者が腹側部Ａの折り返し部４ａや背側部Ｂの折り返し部４ｂを掴み易く、折り返し部４ａを掴んでおむつを履かせ易いので使用感が向上する。また、おむつ使用中に、おむつ１Ａがズレても、着用者の肌とおむつの開口部との間に手を入れることなく、着用者（使用者）、養護者又は介護者が、腹側部Ａの折り返し部４ａ又は背側部Ｂの折り返し部４ｂを掴むことができるので、肌を使用者の爪などで傷つけ難い。
【００３３】
また、第１実施形態のおむつ１Ａは、図１，図３に示すように、腹側部Ａの折り返し部４ａ及び背側部Ｂの折り返し部４ｂが、ウエスト開口部の周縁ｄ１と吸収体３３の縦方向（Ｙ方向）端部３３ｄ１との間に形成されている。このように、剛性の高い吸収体３３に折り返し部４ａ，４ｂの先端がかかっていないので、折り返し部４ａ，４ｂに指を入れ易く、掴み易い。
【００３４】
次に、本発明の第２実施形態のパンツ型使い捨ておむつについて、図４に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、おむつ１Ａと同様であり、おむつ１Ａの説明が適宜適用される。
【００３５】
第２実施形態のおむつ１Ｂの外装体２は、図４に示すように、おむつ１Ａと同様に、腹側部Ａにおけるウエスト開口部ＷＯの周縁に沿う周端部が一部の弾性部材２３を含んだ状態で外側に折り返されて形成された折り返し部４ａを有し、背側部Ｂにおけるウエスト開口部ＷＯの周縁に沿う周端部も一部の弾性部材２３を含んだ状態で外側に折り返されて形成された折り返し部４ｂを有している。おむつ１Ｂは、図４に示すように、腹側部Ａの折り返し部４ａの折り返し幅（Ｗ１）が、背側部Ｂの折り返し部４ｂの折り返し幅（Ｗ２）よりも長く形成されている。
【００３６】
おむつ１Ｂの外装体２の折り返し部４ａ，４ｂは、おむつ１Ａと同様に、図４に示すように、ウエスト開口部の周縁ｄ１と吸収体３３の縦方向（Ｙ方向）端部３３ｄ１との間に形成されている。
おむつ１Ｂの縦方向（Ｙ方向）の全長に対する折り返し部４ａの折り返し幅（Ｗ１）の割合（Ｗ１／全長）は、着用者（幼児）自身が掴み易く引き上げやすい観点から、１０％〜３０％であることが好ましく、１５％〜２０％であることが更に好ましい。
おむつ１Ｂの縦方向（Ｙ方向）の全長に対する折り返し部４ｂの折り返し幅（Ｗ２）の割合（Ｗ２／全長）は、背側のデザインの視認性向上の観点から、０％〜２０％であることが好ましく、５％〜１０％であることが更に好ましい。
【００３７】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、おむつ１Ａの効果と同様であり、おむつ１Ａの効果の説明が適宜適用される。
【００３８】
第２実施形態のおむつ１Ｂは、図４に示すように、腹側部Ａの折り返し部４ａの折り返し幅（Ｗ１）が、背側部Ｂの折り返し部４ｂの折り返し幅（Ｗ２）よりも長く形成されている。そのため、おむつを履く際に、着用者（使用者）が特に幼児である場合に、着用者（使用者）自身が腹側部Ａの折り返し部４ａを掴み易く、折り返し部４ａを掴んでおむつを履き易いので使用感が向上する。
【００３９】
次に、本発明の第３実施形態のパンツ型使い捨ておむつについて、図５に基づいて説明する。
第３実施形態のパンツ型使い捨ておむつ１Ｃ（以下、「おむつ１Ｃ」ともいう）については、第１実施形態のパンツ型使い捨ておむつ１Ａと異なる点について説明する。特に説明しない点は、おむつ１Ａと同様であり、おむつ１Ａの説明が適宜適用される。
【００４０】
第３実施形態のおむつ１Ｃの外装体２には、図５に示すように、背側部Ｂに廃棄テープ６が配設固定されている。具体的には、背側部Ｂの折り返し部４ｂ以外の背側部Ｂを構成する外層シート２２の外面に、廃棄テープ６が配設固定されている。廃棄テープ６は、細帯状のテープをそのＹ方向に折り畳んだ形態に形成されている。折り畳んだ形態の廃棄テープ６の自由端部６１は、縦方向（Ｙ方向）の上方側に配されている。廃棄テープ６は、使用前においては折り畳んだ形態を維持し、使用に際しては、廃棄テープ６の自由端部６１を摘んで、引き出して、外装体２に止着して使用する。
【００４１】
廃棄テープ６の使用に際しては、おむつ１Ｃの巻き上げ形態を維持できるように、テープ同士の対向面には粘着材が塗布されている。塗布される粘着剤としては、通常の粘着剤、例えば、スチレン−ブタジエンブロック共重合体、スチレン−イソプレンブロック共重合体、アクリル酸エステル、アクリル共重合体、酢酸ビニル、エチレン−酢酸ビニル共重合体等のホットメルト樹脂あるいはエマルジョンを用いることができる。
【００４２】
第３実施形態のおむつ１Ｃの外装体２は、図５に示すように、おむつ１Ａと同様に、腹側部Ａにおけるウエスト開口部ＷＯの周縁に沿う周端部が一部の弾性部材２３を含んだ状態で外側に折り返されて形成された折り返し部４ａを有し、背側部Ｂにおけるウエスト開口部ＷＯの周縁に沿う周端部も一部の弾性部材２３を含んだ状態で外側に折り返されて形成された折り返し部４ｂを有している。おむつ１Ｃは、図５に示すように、背側部Ｂの折り返し部４ｂの折り返し幅（Ｗ２）は、折り畳んだ形態の廃棄テープ６の自由端部６１を覆う位置まで延びている。尚、腹側部Ａの折り返し部４ａの折り返し幅（Ｗ１）は、おむつ１Ｃにおいては、背側部Ｂの折り返し部４ｂの折り返し幅（Ｗ２）と同じ長さに形成されている。
【００４３】
上述した本発明の第３実施形態のおむつ１Ｃを使用した際の作用効果について説明する。
第３実施形態のおむつ１Ｃの効果については、第１実施形態のおむつ１Ａの効果と異なる点について説明する。特に説明しない点は、おむつ１Ａの効果と同様であり、おむつ１Ａの効果の説明が適宜適用される。
【００４４】
第３実施形態のおむつ１Ｃは、図５に示すように、背側部Ｂの折り返し部４ｂが、折り畳んだ形態の廃棄テープ６の自由端部６１を覆う位置まで延在しているので、廃棄テープ６が不用意に開いてしまうことを防止できる。
【００４５】
本発明のパンツ型着用物品は、上述の第１実施形態のおむつ１Ａ、第２実施形態のおむつ１Ｂ、第３実施形態のおむつ１Ｃに何ら制限されるものではなく、適宜変更可能である。また、上述の第１〜第３実施形態のおむつ１Ａ〜１Ｃにおける各構成要件は、本発明の趣旨を損なわない範囲で、適宜組み合わせて実施できる。
【００４６】
例えば、上述の第１〜第３実施形態のおむつ１Ａ〜１Ｃの腹側部Ａ及び背側部Ｂにおいては、図３，図４，図５に示すように、外装体２を構成する内層シート２１は、ウエスト開口部ＷＯの開口の周縁ｄ１に沿ってウエスト開口部ＷＯから外側に二つ折りされて折り返し部４ａ，４ｂの先端まで延びている。また、外装体２を構成する外層シート２２は、ウエスト開口部ＷＯの開口の周縁ｄ１に沿ってウエスト開口部ＷＯから外側に、即ち、外層シート２２同士が対向するように、二つ折りされて折り返し部４ａ，４ｂの先端まで延びており、更に、縦方向（Ｙ方向）に延出する長さを有しており、延出した延出領域は、折り返し部４ａ，４ｂの先端にて、内層シート２１の先端を包むように折り返され、更にウエスト開口部ＷＯの開口の周縁ｄ１よりも延出し、周縁ｄ１にてウエスト開口部ＷＯの内側に折り返され、吸収性本体３の吸収体３３の縦方向（Ｙ方向）の端部３３ｄ１を覆う位置まで延出し、接着剤（図示せず）を介して接着されている。このような形態が、例えば、図６に示す他の実施形態のおむつ１Ｄの腹側部Ａ及び背側部Ｂのように、外装体２を構成する内層シート２１及び外層シート２２が、ウエスト開口部ＷＯの開口の周縁ｄ１に沿ってウエスト開口部ＷＯから外側に二つ折りされて折り返し部４ａ，４ｂの先端まで延びている形態であってもよい。このように形成されたおむつ１Ｄの腹側部Ａ及び背側部Ｂは、ウエスト開口部ＷＯの周縁部分において、第１〜第３実施形態のおむつ１Ａ〜１Ｃの腹側部Ａ及び背側部Ｂのウエスト開口部ＷＯの周縁部分に比べて厚みを抑えることができ、通気性も向上する。
【００４７】
また、上述の第１〜第３実施形態のおむつ１Ａ〜１Ｃの腹側部Ａ及び背側部Ｂにおいては、図２に示すように、外装体２が縦方向（Ｙ方向）中央部において内方に括れており、腹側部Ａ、背側部Ｂ、股下部Ｃを有しているが、腹側部Ａに配される腹側シート部材と背側部Ｂに配される背側シート部材とに分割された分割外装体であってもよい。
【００４８】
また、上述の第１〜第３実施形態のおむつ１Ａ〜１Ｃにおいては、図３，図４，図５に示すように、腹側部Ａ及び背側部Ｂそれぞれが折り返し部４ａ，４ｂを有しているが、腹側部Ａ及び背側部Ｂの何れか一方が折り返し部を有している形態であってもよい。
【００４９】
また、パンツ型吸収性物品は、幼児又は成人用のパンツ型使い捨ておむつの他、パンツ型の生理用ナプキン等であってもよい。
【符号の説明】
【００５０】
１Ａ，１Ｂ，１Ｃ，１Ｄ  パンツ型使い捨ておむつ
２  外装体
２ａ  腹側部Ａ側の側縁部
２ｂ  背側部Ｂ側の側縁部
２１  内層シート
２２  外層シート
２３  弾性部材
２３１  ウエスト弾性部材
２３２  胴回り弾性部材
２３３  折り返し部に配された弾性部材
２３３ａ，２３３ｂ  折り返し部の先端に配された弾性部材
２４  レッグ弾性部材
３  吸収性本体
３１  表面シート
３２  裏面シート
３３  吸収体
３３ｄ１  吸収体の縦方向（Ｙ方向）の端部
３４  側方カフス
４，４ａ，４ｂ  折り返し部
４ａ１  折り返し部４ａの側縁部
４ｂ１  折り返し部４ｂの側縁部
５  サイドシール部
６  廃棄テープ
６１  折り畳んだ形態の廃棄テープの自由端部
Ａ  腹側部，Ｂ  背側部，Ｃ  股下部
ＣＬ  おむつの縦方向に延びる中心線
ＷＯ  ウエスト開口部
ｄ１  ウエスト開口部の開口の周縁
ＬＯ  レッグ開口部
【図１】
0005912491.tif 000002
【図２】
0005912491.tif 000003
【図３】
0005912491.tif 000004
【図４】
0005912491.tif 000005
【図５】
0005912491.tif 000006
【図６】
0005912491.tif 000007